(57)【要約】【課題】物品の電源状態を切り換え操作すべくスイッチノブを操作する際、このときの切り換え操作に操作間違いを生じ難くすることができる電源状態切換装置を提供する。【解決手段】ワンプッシュエンジンスタートシステムを備える車両には、電源状態切り換えの操作系としてプッシュモーメンタリ式のエンジンスイッチ２２が備わる。このエンジンスイッチ２２のスイッチノブ２３は、通常のノーマルポジションから所定量飛び出すポップアップポジションに位置切り換え可能であり、ノブ先端のノブ部４１をロータリ操作可能である。そして、スイッチノブ２３のプッシュ操作にエンジン始動停止スイッチ機能を割り当て、スイッチノブ２３のロータリ操作に電源遷移スイッチ機能を割り当てる。【選択図】図３
2010047051.tif 000002
【特許請求の範囲】
【請求項１】
スイッチノブがモーメンタリ式をとる操作スイッチの操作を監視し、前記スイッチノブが持つスイッチ機能には、当該スイッチノブの操作対象である物品の電源状態を、複数の電源状態の中から特定の一状態に択一的に選択可能な選択機能が設けられ、当該スイッチノブが操作された際には、前記選択機能によりそのときの要求操作に応じた電源状態に前記物品の電源状態を切り換える電源状態切換装置において、
前記スイッチノブをノブ軸方向において位置切り換え可能で、しかも当該位置切り換え前後で同じ一操作方向に前記スイッチノブを操作可能とするノブ軸方向位置切換機構と、
前記ノブ軸方向位置切換機構によりポップアップポジションに位置する前記スイッチノブを、前記一操作方向とは方向が異なる他操作方向に操作可能とする他操作方向動作許容機構と、
前記選択機能で設定可能なスイッチ機能を、前記スイッチノブの前記一操作方向及び前記他操作方向に各々振り分けるスイッチ機能振分手段と
を備えたことを特徴とする電源状態切換装置。
【請求項２】
前記操作スイッチは、前記物品としての車両のエンジンを始動又は停止するときに操作するエンジン始動停止用スイッチであることを特徴とする請求項１に記載の電源状態切換装置。
【請求項３】
前記スイッチ機能振分手段は、前記一操作方向及び前記他操作方向の一方に、前記エンジンを始動及び停止の間で切り換えるエンジン始動停止機能を割り当て、前記一操作方向及び前記他操作方向の他方に、前記車両の電源状態を前記スイッチノブの操作の度に次段に順次遷移させる電源遷移機能を割り当てることを特徴とする請求項２に記載の電源状態切換装置。
【請求項４】
前記スイッチノブは、前記一操作方向として前記スイッチノブのノブ軸方向に沿ってプッシュ操作が可能で、しかも前記他操作方向として前記スイッチノブのノブ軸回りにロータリ操作が可能であって、
前記スイッチ機能振分手段は、前記プッシュ操作に前記エンジン始動停止機能を割り当て、前記ロータリ操作に前記電源遷移機能を割り当てることを特徴とする請求項３に記載の電源状態切換装置。
【請求項５】
前記ノブ軸方向位置切換機構は、電源状態が電源オフ状態の際に前記スイッチノブのみが前記一操作方向に操作されたことを確認すると、前記スイッチノブの位置をそれまでの初期ポジションから前記ポップアップポジションに位置切り換えて、前記スイッチノブの前記他操作方向に沿う電源状態の切り換え操作を可能とすることを特徴とする請求項１〜４のうちいずれか一項に記載の電源状態切換装置。
【請求項６】
前記スイッチノブが前記ポップアップポジションをとったとき、その旨を前記スイッチノブの位置と連動して通知する連動通知手段を備えたことを特徴とする請求項１〜５のうちいずれか一項に記載の電源状態切換装置。
【請求項７】
キーコードを無線発信可能な電子キーから受信したキーコードと、前記物品に登録されたキーコードとを照らし合わせることによりキー照合を実行する照合手段と、
前記照合手段のキー照合が成立すれば、前記スイッチノブによる前記電源状態の切り換え操作を許可する許可手段と
を備えたことを特徴とする請求項１〜６のうちいずれか一項に記載の電源状態切換装置。
【請求項８】
前記ノブ軸方向位置切換機構は、前記照合手段のキー照合が成立しなかったとき、前記スイッチノブを前記ポップアップポジションに位置させて、キー照合不成立の旨を前記スイッチノブの位置により通知することを特徴とする請求項７に記載の電源状態切換装置。
【発明の詳細な説明】
【技術分野】
【０００１】
本発明は、操作スイッチのスイッチノブの操作をトリガとして物品の電源状態をそのときの要求操作に応じた電源状態に切り換える電源状態切換装置に関する。
【背景技術】
【０００２】
近年、多くの車両には、車両キーを操作しなくても車内のエンジンスイッチを操作（プッシュ操作）するだけでエンジンを始動させることが可能なワンプッシュエンジンスタートシステムが搭載されている。この種のワンプッシュエンジンスタートシステムの一例は、例えば特許文献１，２等に開示されている。ワンプッシュエンジンスタートシステムでは、車両キーとして、キーコードを車両に向けて無線発信する電子キーが使用される。そして、車両は、電子キーからキーコードを受信すると、電子キーのキーコードと、自身に登録されたキーコードとを照らし合わせて照合を行い、この照合結果によりキー照合可否を判定する。
【０００３】
ワンプッシュエンジンスタートシステムは、エンジンが停止状態のとき、電子キーによるキー照合が成立した状況下で、ブレーキペダルが踏み込み操作されつつ、ステアリングホイール脇のエンジンスイッチがプッシュ操作されると、それまで停止状態であったエンジンが始動する。一方、エンジンが稼働中の際、シフトレンジがＰレンジ（駐車レンジ）をとる状態でエンジンスイッチがプッシュ操作されると、それまで稼働状態であったエンジンが停止に切り換わる。
【０００４】
また、ワンプッシュエンジンスタートシステムにおいて、エンジンスイッチに割り付けられるスイッチ機能には、このようなエンジン始動停止機能の他に、車両の電源状態（電源ポジション）を電源オフ状態（エンジン停止状態）→ＡＣＣオン状態→ＩＧオン状態の間で順次繰り返し切り換えることが可能な電源遷移機能も割り付けられている。この電源遷移機能は、ブレーキペダルを踏み込み操作せずにエンジンスイッチのみをプッシュ操作することにより行う。また、この電源遷移機能では、電源状態がこれらどの状態にあっても、ブレーキペダルを踏み込み操作してエンジンスイッチをプッシュ操作すれば、エンジンが始動状態に切り換わる。
【特許文献１】特開２００７−２５５３８３号公報
【特許文献２】特開２００６−１８３６１３号公報
【発明の開示】
【発明が解決しようとする課題】
【０００５】
ところで、エンジン始動停止操作と電源遷移操作との各操作の際、エンジンスイッチにおいてユーザに科す操作は、ともにエンジンスイッチをプッシュ操作する押し操作となっている。このため、エンジン始動停止機能及び電源遷移機能を作動させる際に必要となるエンジンスイッチのスイッチ操作が全てプッシュ操作で同一となるので、エンジン始動停止操作の際にユーザに科す操作と、電源遷移操作の際にユーザに科す操作とが似た操作となってしまう。よって、これはエンジン始動停止操作と電源遷移操作とを間違えてしまう問題にも繋がることから、これら操作に関して操作間違いが生じ難い技術の開発が要望されていた。
【０００６】
本発明の目的は、物品の電源状態を切り換え操作すべくスイッチノブを操作する際、このときの切り換え操作に操作間違いを生じ難くすることができる電源状態切換装置を提供することにある。
【課題を解決するための手段】
【０００７】
前記問題点を解決するために、本発明では、スイッチノブがモーメンタリ式をとる操作スイッチの操作を監視し、前記スイッチノブが持つスイッチ機能には、当該スイッチノブの操作対象である物品の電源状態を、複数の電源状態の中から特定の一状態に択一的に選択可能な選択機能が設けられ、当該スイッチノブが操作された際には、前記選択機能によりそのときの要求操作に応じた電源状態に前記物品の電源状態を切り換える電源状態切換装置において、前記スイッチノブをノブ軸方向において位置切り換え可能で、しかも当該位置切り換え前後で同じ一操作方向に前記スイッチノブを操作可能とするノブ軸方向位置切換機構と、前記ノブ軸方向位置切換機構によりポップアップポジションに位置する前記スイッチノブを、前記一操作方向とは方向が異なる他操作方向に操作可能とする他操作方向動作許容機構と、前記選択機能で設定可能なスイッチ機能を、前記スイッチノブの前記一操作方向及び前記他操作方向に各々振り分けるスイッチ機能振分手段とを備えたことを要旨とする。
【０００８】
この構成によれば、スイッチノブはノブ軸方向位置切換機構による位置切り換え前後に拘わらず、同じ一操作方向に操作可能である。また、スイッチノブをノブ軸方向位置切換機構によりポップアップポジションに切り換えると、スイッチノブが所定量だけ飛び出す位置状態をとって、スイッチノブが他操作方向にも操作可能となる。そして、このスイッチノブの操作で設定可能なスイッチ機能はスイッチノブの一操作方向及び他操作方向に各々振り分けられているので、スイッチノブで物品の電源状態を設定する際には、スイッチノブを一操作方向に操作したり或いは他操作方向に操作したりして、電源状態の切り換え操作を実行する。このため、本構成では、スイッチノブの一操作方向と、スイッチノブの他操作方向とで、それぞれ個別のスイッチ機能を持つことになる。よって、このように各々の操作方向で個別のスイッチ機能を割り当てるようにすれば、スイッチ操作を混同する状況が生じ難くなるので、スイッチノブの操作で物品の電源状態を切り換える際に、その操作間違いを生じ難くすることが可能となる。
【０００９】
本発明では、前記操作スイッチは、前記物品としての車両のエンジンを始動又は停止するときに操作するエンジン始動停止用スイッチであることを要旨とする。
この構成によれば、操作スイッチを車両用のエンジン始動停止用スイッチとしたので、車両の電源状態を切り換えるに際して、この切り換え操作に操作間違いを生じ難くすることが可能となる。
【００１０】
本発明では、前記スイッチ機能振分手段は、前記一操作方向及び前記他操作方向の一方に、前記エンジンを始動及び停止の間で切り換えるエンジン始動停止機能を割り当て、前記一操作方向及び前記他操作方向の他方に、前記車両の電源状態を前記スイッチノブの操作の度に次段に順次遷移させる電源遷移機能を割り当てることを要旨とする。
【００１１】
この構成によれば、スイッチノブによる電源状態の切り換え操作は、スイッチノブの一操作方向がエンジン始動停止に、スイッチノブの他操作方向が電源遷移に区別される。よって、エンジン始動停止操作と電源遷移操作との操作形式が各々異なる形式をとるので、これら操作を行う際に操作間違いを生じ難くすることが可能となる。
【００１２】
本発明では、前記スイッチノブは、前記一操作方向として前記スイッチノブのノブ軸方向に沿ってプッシュ操作が可能で、しかも前記他操作方向として前記スイッチノブのノブ軸回りにロータリ操作が可能であって、前記スイッチ機能振分手段は、前記プッシュ操作に前記エンジン始動停止機能を割り当て、前記ロータリ操作に前記電源遷移機能を割り当てることを要旨とする。
【００１３】
この構成によれば、スイッチノブをプッシュ操作することでエンジン始動停止の切り換え操作が可能であり、スイッチノブをロータリ操作することで車両の電源状態を電源遷移可能である。よって、エンジンを始動操作する際には、スイッチノブをポップアップポジションに切り換える操作が不要となるので、エンジン始動操作を簡素な操作とすることが可能となる。
【００１４】
本発明では、前記ノブ軸方向位置切換機構は、電源状態が電源オフ状態の際に前記スイッチノブのみが前記一操作方向に操作されたことを確認すると、前記スイッチノブの位置をそれまでの初期ポジションから前記ポップアップポジションに位置切り換えて、前記スイッチノブの前記他操作方向に沿う電源状態の切り換え操作を可能とすることを要旨とする。
【００１５】
この構成によれば、スイッチノブの他操作方向に沿う電源状態の切り換え操作には、スイッチノブのみを一操作方向に操作してスイッチノブをポップアップポジションに位置させる操作が一段階必要となる。よって、スイッチノブの他操作方向に沿う電源状態の切り換え操作には、スイッチノブのみを一操作方向に一旦操作してスイッチノブをポップアップポジションに位置させるという操作者の操作意志が入るので、スイッチノブの他操作方向に沿う電源状態の切り換え操作に操作間違いを一層生じ難くすることが可能となる。
【００１６】
本発明では、前記スイッチノブが前記ポップアップポジションをとったとき、その旨を前記スイッチノブの位置と連動して通知する連動通知手段を備えたことを要旨とする。
この構成によれば、スイッチノブがポップアップポジションをとった際、例えば照明等による連動通知手段によっても、スイッチノブがポップアップポジションに切り換わったことがユーザに通知される。このため、スイッチノブがポップアップポジションをとっていることを、より確実にユーザに通知することが可能となる。
【００１７】
本発明では、キーコードを無線発信可能な電子キーから受信したキーコードと、前記物品に登録されたキーコードとを照らし合わせることによりキー照合を実行する照合手段と、前記照合手段のキー照合が成立すれば、前記スイッチノブによる前記電源状態の切り換え操作を許可する許可手段とを備えたことを要旨とする。
【００１８】
この構成によれば、スイッチノブの操作により電源状態を切り換える際には、電子キーシステムによるキー照合成立が操作実行の条件となっているので、キー照合が成立していなければ電源状態を切り換え操作することができない状況となる。このため、電源状態の切り換え操作が不正に実行される状況を生じ難くすることが可能となり、不正使用に対してセキュリティ性を高いものとすることが可能となる。
【００１９】
本発明では、前記ノブ軸方向位置切換機構は、前記照合手段のキー照合が成立しなかったとき、前記スイッチノブを前記ポップアップポジションに位置させて、キー照合不成立の旨を前記スイッチノブの位置により通知することを要旨とする。
【００２０】
この構成によれば、電子キーシステムのキー照合が成立しなかった場合、スイッチノブがそれまでの初期ポジションから変位ポジションに位置が切り換わるので、キー照合が成立しなかったことがスイッチノブの位置によってユーザに通知される。このため、スイッチノブの位置が切り換わるというユーザが気付き易い形式により、キー照合不成立の旨を通知することが可能となる。
【発明の効果】
【００２１】
本発明によれば、物品の電源状態を切り換え操作すべくスイッチノブを操作する際、このときの切り換え操作に操作間違いを生じ難くすることができる。
【発明を実施するための最良の形態】
【００２２】
以下、本発明を具体化した電源状態切換装置の一実施形態を図１〜図１０に従って説明する。
図１に示すように、車両１には、キーコードを無線通信により車両１に送り渡す電子キー２を車両キーとして使用する電子キーシステム３が搭載されている。この電子キーシステム３には、実際のキー操作を伴わずにドアロック施解錠やエンジン始動停止等の車両操作を行うことが可能なキー操作フリーシステム４が搭載されている。キー操作フリーシステム４は、同システムの電子キーである電子キー２からのＩＤコード（キーコード）のコード発信をユーザの意志によらず自動で行わせ、車両１と電子キー２との間でＩＤコードを照らし合わせてＩＤ照合を実行し、両ＩＤコードが一致してキー認証が成立すれば、ドアロック施解錠やエンジン始動が許可又は実行される。なお、車両１が物品に相当する。
【００２３】
キー操作フリーシステム４には、ドアロック施解錠操作の際にキー操作を必要としない機能としてスマートエントリーシステムがある。このようなスマートエントリーシステムでは、車両１に、電子キー２との間で狭域無線通信によりＩＤ照合を行うコントローラとして照合ＥＣＵ（Electronic Control Unit）５が設けられている。また、車両１には、車外にＬＦ（Low frequency）帯の信号を発信可能な車外ＬＦ発信機６と、車内に同じＬＦ帯の信号を発信可能な車内ＬＦ発信機７と、電子キー２が発信するＲＦ（Radio Frequency）帯の信号を受信可能なＲＦ受信機８とが設けられている。また、照合ＥＣＵ５には、ドアロック施解錠を制御するドアＥＣＵ９が車内ＬＡＮ（Local Area Network）１０を介して接続されている。このドアＥＣＵ９には、ドアロック施解錠時の駆動源としてドアロックモータ１１が接続されている。なお、照合ＥＣＵ５が照合手段及び許可手段を構成し、ＬＦ発信機６，７及びＲＦ受信機８が照合手段を構成する。
【００２４】
また、電子キー２には、電子キー２の各種動作を統括制御する通信制御部１２が設けられている。この通信制御部１２は、ＣＰＵ１３やメモリ１４等の各種デバイスを持ち、電子キー２が持つ固有のキーコードとしてＩＤコードがメモリ１４に登録されている。通信制御部１２には、ＬＦ帯の無線信号を受信可能なＬＦ受信機１５と、ＲＦ帯の無線信号を発信可能なＲＦ発信機１６とが接続されている。通信制御部１２は、ＬＦ受信機１５でどの種の無線信号を受け付けたか否かを逐次監視するとともに、ＲＦ発信機１６からの信号発信の動作を管理する。
【００２５】
車両１が駐車状態（エンジン停止及びドアロック施錠状態）の際、照合ＥＣＵ５は、車外ＬＦ発信機６からＬＦ帯のリクエスト信号Ｓrqを断続的に発信させ、車両周辺にリクエスト信号Ｓrqの車外通信エリアを形成して、無線通信（以降、スマート通信と記す）の成立を試みる。電子キー２がこの車外通信エリアに入り込んでリクエスト信号Ｓrqを受信すると、電子キー２はリクエスト信号Ｓrqに応答する形で、自身のメモリ１４に登録されたＩＤコードを乗せたＩＤ信号ＳidをＲＦ帯の信号で返信する。照合ＥＣＵ５は、ＲＦ受信機８でＩＤ信号Ｓidを受信してスマート通信が確立すると、自身のメモリ１７に登録されたＩＤコードと電子キー２のＩＤコードとを照らし合わせてＩＤ照合、いわゆるスマート照合（車外照合）を行う。照合ＥＣＵ５は、この車外照合が成立したことを認識すると、メモリ１７に車外照合フラグを一定時間の間において立てて、車外ドアハンドルノブ１８に埋設されたタッチセンサ１９をその期間の間において起動させる。照合ＥＣＵ５は、ドアロック施錠時に車外ドアハンドルノブ１８がタッチ操作されたことを起動中のタッチセンサ１９で検出すると、ドアロック解錠要求をドアＥＣＵ９に出力する。ドアＥＣＵ９は、ドアロック施錠時にこのドアロック解錠要求を受け付けると、ドアロックモータ１１を駆動して施錠状態のドアロックを解錠する。
【００２６】
一方、車両１が停止状態（エンジン停止及びドアロック解錠状態）の際、照合ＥＣＵ５は、車外ドアハンドルノブ１８に設けられたロックボタン２０が押し操作されたことを検出すると、車外ＬＦ発信機６からリクエスト信号Ｓrqを発信させる。照合ＥＣＵ５は、このリクエスト信号Ｓrqを受けて電子キー２が返信してきたＩＤ信号Ｓidにおいて車外照合が成立したことを認識すると、ドアＥＣＵ１０にドアロック施錠要求を出力する。ドアＥＣＵ９は、ドアロック解錠時にこのドアロック施錠要求を受け付けると、ドアロックモータ１１を駆動して解錠状態のドアロックを施錠する。
【００２７】
また、キー操作フリーシステム４には、エンジン始動停止操作の際に実際の車両キー操作を必要とせずに単なるスイッチ操作のみでエンジン２１の始動停止操作を行うことが可能な機能としてワンプッシュエンジンスタートシステムがある。このようなワンプッシュエンジンスタートシステムでは、車両１の運転席に、車両１の電源状態（電源ポジション）を切り換えるスイッチ機能が割り当てられたエンジンスイッチ２２が設けられている。このエンジンスイッチ２２には、同スイッチ２２の操作ノブとしてスイッチノブ２３が設けられ、このスイッチノブ２３がプッシュモーメンタリ式をとっている。なお、エンジンスイッチ２２が操作スイッチ（エンジン始動停止用スイッチ）に相当する。
【００２８】
また、車両１には、エンジン２１の点火制御及び燃料噴射制御を行うエンジンＥＣＵ２４と、シフトレバーのレンジ位置を監視するシフトＥＣＵ２５と、車載電装品の電源管理を行う電源ＥＣＵ２６とが設けられている。これらＥＣＵ２４〜２６は、車内ＬＡＮ１０を通じて照合ＥＣＵ５等の各種ＥＣＵに接続されている。電源ＥＣＵ２６には、各種車載アクセサリに繋がるＡＣＣ（Accessory）リレー２７と、車両ボディ系や走行系の各種電装品に繋がる第１ＩＧ（Ignition）リレー２８と、エンジンＥＣＵ２４やスタータモータに繋がる第２ＩＧリレー２９とが接続されている。なお、電源ＥＣＵ２６がスイッチ機能振分手段を構成する。
【００２９】
また、エンジンスイッチ２２のスイッチ機能、つまりエンジンスイッチ２２がプッシュ操作方向（一操作方向）において持つスイッチ機能には、その時々の要求操作に応じて、車両１の電源状態を複数の電源状態の中の何れかに択一的に切り換える選択機能が割り当てられている。本例の場合、エンジンスイッチ２２には、車内照合成立及びブレーキペダル踏み込み操作を条件に、車両１の電源状態（電源ポジション）を電源オフ状態又はエンジンスタート状態のどちらかに設定してエンジン２１の始動停止を切り換えるエンジン始動停止機能と、車内照合成立のみを条件に、車両の電源状態を電源オフ状態（エンジン停止状態）→ＡＣＣオン状態→ＩＧオン状態の間で順次繰り返し切り換える電源遷移機能とが割り当てられている。なお、電源状態を電源オフ状態、ＡＣＣオン状態、ＩＧオン状態、エンジンスタート状態の各状態に切り換えることがスイッチ機能に相当し、これら状態の中の特定の一状態に電源状態を設定することが選択機能に相当する。また、車内照合成立状況下でのブレーキペダル踏み込みながらのエンジンスイッチ２２の操作や、車内照合成立条件下でのエンジンスイッチ２２のみの操作が要求操作に相当する。
【００３０】
照合ＥＣＵ５は、車外照合が成立してドアロックが解錠された後、例えばカーテシスイッチ３０でドアが開けられて運転者が乗車したことを認識すると、車内ＬＦ発信機７からリクエスト信号Ｓrqを発信して車内全域に車内通信エリアを形成する。照合ＥＣＵ５は、電子キー２がこの車内通信エリアに入り込んで返信してきたＩＤ信号ＳidをＲＦ受信機８で受信すると、自身に登録されたＩＤコードと電子キー２のＩＤコードとを照らし合わせてＩＤ照合、いわゆるスマート照合（車内照合）を行う。照合ＥＣＵ５は、この車内照合が成立すると、メモリ１７に車内照合成立フラグを立てて車内照合成立を認識する。
【００３１】
電源ＥＣＵ２６は、エンジン２１が停止している際にブレーキペダルが踏み込み操作された状態でエンジンスイッチ２２が操作（プッシュ操作）されたことを検出すると、車内照合成立を条件として、３つのリレー２７〜２９を全てオンして車両１の電源状態をエンジンスタート状態に切り換える。なお、電源ＥＣＵ２６は、車内照合成立確認の際にこれが成立していなければ、照合ＥＣＵ５に車内照合を再実行させ、車内照合成立の有無を今一度確認する。第２ＩＧリレー２９がオンして起動状態をとったエンジンＥＣＵ２４は、車内照合結果の確認と、照合ＥＣＵ５が自身とペアを成すものかを確認するペアリングとを暗号化通信により行う。これら両条件の確認を済ませたエンジンＥＣＵ２４は、点火制御及び燃料噴射制御を開始してエンジン２１を始動する。一方、電源ＥＣＵ２６は、エンジン２１が稼働中の際にエンジンスイッチ２２が押圧操作されたことを検出すると、シフトレバーのレンジ位置が駐車レンジ（Ｐレンジ）にあること（即ち、車両１が停止（車速「０」）していること）を条件に３つのリレー２７〜２９を全てオフ状態にして、エンジン２１を停止状態にする。
【００３２】
一方、電源ＥＣＵ２６は、エンジン２１が停止している際にブレーキペダルが踏み込み操作されずにエンジンスイッチ２２のみが操作（プッシュ操作）されたことを検出すると、車内照合成立を条件としつつ、しかもシフトレバーのレンジが駐車レンジ（Ｐレンジ）にあれば、エンジンスイッチ２２がプッシュ操作される度に、操作一回りの間において電源状態をオフ状態（３リレー２７〜２９が全てオフ状態）→ＡＣＣオン状態（ＡＣＣリレー２７がオン状態）→ＩＧオン状態（第1ＩＧリレー２８がオン状態）の間で順に切り換える。
【００３３】
また、車両１には、電子キーシステム３の一種として、スマート通信とは別系統の通信網で電子キー２とキー照合を行うイモビライザーシステム３１が搭載されている。イモビライザーシステム３１は、近距離無線通信（以降、イモビライザー通信と記す）が用いられ、本例は例えばＲＦＩＤ（Radio Frequency IDentification）が使用されている。このイモビライザーシステム３１では、車両１に、同イモビライザーシステム３１を統括制御するイモビライザーＥＣＵ３２が設けられている。このイモビライザーＥＣＵ３２は、車内ＬＡＮ１０を介して照合ＥＣＵ５に接続されている。イモビライザーＥＣＵ３２には、イモビライザーシステム３１の車両側におけるアンテナとしてコイル式のイモビアンテナ３３が接続されている。このイモビアンテナ３３は、例えばエンジンスイッチ２２の周辺に巻回された取り付け状態をとり、本例はＬＦ帯の信号を送受信可能となっている。
【００３４】
一方、電子キー２には、イモビライザーシステム３１における電子キー２側のＩＤ登録先としてトランスポンダ３４が内蔵されている。トランスポンダ３４は、イモビアンテナ３３から発信された駆動電波Ｓkdを受信すると、この駆動電波Ｓkdによって駆動を開始し、自身の固有コードであるトランスポンダコード（キーコード）を乗せたイモビ信号Ｓtrを車両１に向けて発信する。イモビライザーＥＣＵ３２は、このイモビ信号Ｓtrをイモビアンテナ３３で受信すると、このイモビ信号Ｓtrによりイモビライザー照合を行い、この照合が成立すればエンジン始動を許可する。なお、近距離無線通信とは、スマート通信よりも通信エリアが狭い無線通信のことを言い、実際にはイモビアンテナ３３にトランスポンダ３４をかざす程度に近づける必要のある無線通信である。
【００３５】
電源ＥＣＵ２６は、運転者によりエンジンスイッチ２２がプッシュ操作されてエンジン２１が始動操作された際、車内照合及びイモビライザー照合のうち少なくとも一方が成立していることを以て、エンジン始動動作、即ち電源状態のエンジンスタート状態への切り換え動作に入る。これは、電子キー２が電池駆動式であることから、電池切れになると電子キー２はスマート通信を実行することができなくなるので、もし仮に電子キー２が電池切れとなっても、無線通信によるＩＤ照合成立条件下でエンジン２１を始動できるようにするためである。
【００３６】
図２〜図５に示すように、本例のエンジンスイッチ２２は、スイッチノブ２３にプッシュ操作のみならず、ノブ周囲から所定量だけポップアップさせてスイッチノブ２３をロータリ操作可能とし、車両１の電源状態を切り換えるためのスイッチ機能をこれらプッシュ操作及びロータリ操作に割り当てたスイッチとなっている。特に、本例のエンジンスイッチ２２は、スイッチノブ２３のプッシュ操作にエンジン始動停止の切り換え操作が割り当てられ、スイッチノブ２３のロータリ操作にＡＣＣオン状態からＩＧオン状態への電源遷移操作が割り当てられている。
【００３７】
この場合、エンジンスイッチ２２には、スイッチノブ２３のポップアップ動作を許容するノブ位置切換機構３５が設けられている。ノブ位置切換機構３５は、車両１の電源状態が電源オフ状態をとるとき、スイッチノブ２３をノーマルポジション、即ち図２及び図６に示すようにノブ表面がノブ周囲面と面一状態をとった状態に位置させ、車両１の電源状態が電源オン状態（ＡＣＣオン状態、ＩＧオン状態、エンジンスタート状態）をとるとき、スイッチノブ２３をノブ軸Ｌに沿って動かしてポップアップポジション、即ち図３及び図７に示すようにスイッチノブ２３がノブ周囲面から所定量だけ押し上がった状態に位置させる。なお、ノブ位置切換機構３５がノブ軸方向位置切換機構に相当し、ノーマルポジションが初期ポジションに相当する。
【００３８】
エンジンスイッチ２２には、同スイッチ２２のケースとしてスイッチケース３６が設けられている。このスイッチケース３６の背面には、例えば複数の接続ピン３７，３７…を持つコネクタ３８が設けられている。また、スイッチケース３６には、スイッチノブ２３のノブ軸方向（図２の矢印Ａ方向）に沿って深さを有するノブ収納部３９が貫設されている。スイッチノブ２３は、このノブ収納部３９内においてプッシュ操作方向に沿って往復動可能な状態、つまりプッシュ操作可能な状態で収納されている。スイッチノブ２３には、ノブ本体部分を形成するホルダ部４０と、ホルダ部４０の先端に取り付けられるとともに裏面無底筒形状をなしたノブ部４１とが設けられている。
【００３９】
また、スイッチケース３６とホルダ部４０との間には、プッシュ操作したスイッチノブ２３から手を離すと、スイッチノブ２３を元の操作開始位置に自動復帰させるプッシュ側モーメンタリ機構４２が設けられている。このプッシュ側モーメンタリ機構４２では、スイッチケース３６とホルダ部４０との間に、スイッチノブ２３を押し出し方向に常時付勢するノブ付勢部材４３が介装されている。また、スイッチケース３６の内部において開口寄りの位置には、スイッチノブ２３をポップアップポジションで位置決めするノブガイド４４が立設されている。なお、このノブガイド４４は、スイッチノブ２３がノブ付勢部材４３の付勢力によりノブ収納部３９から抜け出てしまうことを防ぐ抜け止めとしても働く。
【００４０】
スイッチケース３６の内部においてスイッチノブ２３の径方向（図２の矢印Ｂ方向）外側寄りの位置には、エンジンスイッチ２２の各種電装部品の実装先として基板４５が設けられている。基板４５には、スイッチノブ２３をポップアップさせるときの駆動源としてソレノイド４６が設けられている。このソレノイド４６は、スイッチケース３６のコネクタ３８を介して電源ＥＣＵ２６に接続され、動作が電源ＥＣＵ２６によって管理されている。また、本例のソレノイド４６は、プッシュプルソレノイドからなり、可動レバー４７がプッシュ状態又はプル状態の２状態をとる。ソレノイド４６は、可動レバー４７がプッシュ状態又はプル状態をとるときに各々の状態で位置を保持可能であって、可動レバー４７を動かすときにのみ電力を必要とする。
【００４１】
また、可動レバー４７の先端には、例えば板形状をなすストッパ４８が固着されている。一方、スイッチノブ２３のホルダ部４０には、ストッパ４８の押し付け先として例えば片形状をなした規制部４９が設けられている。本例の場合、ソレノイド４６がプッシュ状態をとると、ストッパ４８が規制部４９をノブ付勢部材４３の付勢力に抗して奥に押し込むことにより、スイッチノブ２３がノーマルポジション（図２及び図６参照）をとる。一方、ソレノイド４６がプル状態をとると、ストッパ４８による規制部４９の押し付けが外れてスイッチノブ２３がノブ付勢部材４３付勢力で手前に飛び出すことが許容されて、スイッチノブ２３がポップアップポジション（図３及び図７参照）をとる。
【００４２】
また、エンジンスイッチ２２のノブ周りには、スイッチノブ２３がポップアップポジションにあることを通知するノブ照明部５０が設けられている。基板４５には、このノブ照明部５０の光源としてノブ光源５１が実装されている。ノブ光源５１は、例えばＬＥＤからなるとともに、コネクタ３８を介して電源ＥＣＵ２６に接続されている。また、ホルダ部４０の先端部（ノブ部４１側の端部）には、ノブ光源５１の光をノブ部４１側に送るライトガイド５２が一体に設けられている。このライトガイド５２は、ホルダ部４０の先端位置に固着されたガイド本体５３と、このガイド本体５３からスイッチノブ２３のノブ軸方向に沿って延びるガイド片５４とからなる。ガイド本体５３は、例えば円板形状をなすとともに、ノブ部４１の裏面収納部４１ａに嵌め込まれた取り付け状態をとる。また、ガイド片５４は、例えば細長い板形状をなすとともに、ガイド本体部（ノブ部４１）の中心に対して偏心する位置に取り付けられている。なお、ノブ照明部５０が連動通知手段に相当する。
【００４３】
また、ノブ部４１は、基材が透明樹脂からなるとともに、外表面（前面）に塗装が施されることにより、ノブ表面が色付きの意匠面５５となり、ノブ周囲が光透過可能な光照射部５６となっている。ノブ光源５１は、スイッチノブ２３がポップアップポジションにあるときに点灯し、その照射光がライトガイド５２を伝ってノブ周囲の光照射部５６から外部に露光することで、スイッチノブ２３がポップアップポジションに位置することをユーザ（運転者）に通知する。
【００４４】
エンジンスイッチ２２には、図２〜図５に示すように、ノブ部４１の一方向へのロータリ操作を許容するノブ回転機構５７が設けられている。ノブ回転機構５７では、ノブ部４１の中心位置に、スイッチノブ２３の軸方向に沿って延びるノブ回動軸５８が延設されている。ノブ部４１は、ガイド本体５３の中心に貫設された貫設孔５９にノブ回動軸５８が回動可能な状態で挿通され、ノブ回動軸５８の軸回りにロータリ操作が可能となっている。また、ノブ部４１の周縁には、例えば対向する位置に一対の係止爪６０，６０が形成され、この係止爪６０，６０がホルダ部４０、つまりライトガイド５２のガイド本体５３に形成された被係止部６１に係止されることにより、ホルダ部４０から抜け止めされている。なお、ノブ回転機構５７が他操作方向動作許容機構に相当する。
【００４５】
また、ノブ部４１とライトガイド５２との間には、ロータリ操作したスイッチノブ２３から手を離すと、スイッチノブ２３を元の操作開始位置に自動復帰させるロータリ側モーメンタリ機構６２が設けられている。本例のロータリ側モーメンタリ機構６２は、ピースが節度の谷に入り込もうとする力を利用した節度機構が使用され、この節度機構がノブ回動軸５８を挟んで一対設けられている。なお、本例の節度機構は、ノブ回動軸５８を挟んで一対設けられているが、これら両者は構造が同じであるので、片方のみについて説明する。
【００４６】
ノブ部４１の裏面には、図２〜図５に示すように、例えば球形状をなす節度ピース６３が取り付けられている。この節度ピース６３は、ノブ部４１の裏面に貫設された節度ピース穴６４に、例えばコイルばね等からなる節度付勢部材６５を間に挟んだ状態で収納されている。このため、節度ピース６３は、節度付勢部材６５の付勢力により、節度ピース穴６４から飛び出す方向に常時付勢されている。また、図９に示すように、ライトガイド５２の内面には、この内面に凹凸を持たせることにより節度山６６及び節度谷６７が設けられている。節度山６６は、ノブ部４１のロータリ操作方向（他操作方向）に向かうに従い上り坂を有する傾斜向きで形成され、この傾斜の根元の穴が節度谷６７として形成されている。
【００４７】
また、図９に示すように、ガイド本体５３（ライトガイド５２）の周縁部５３ａには、ノブ部４１をロータリ操作した際のその最大ロータリ操作量を設定する当接部６８が設けられている。この当接部６８は、ノブ部４１をロータリ操作した際に係止爪６０が通るその通過経路上に突設され、ノブ部４１をロータリ操作した際のその最大許容位置に対応する位置に配置されている。このため、ノブ部４１をロータリ操作した際には、係止爪６０が当接部６８に当接することによりそれ以上のロータリ操作が制限されて、ノブ部４１がロータリ最大ロータリ操作位置で位置決めされる。
【００４８】
スイッチノブ２３（ノブ部４１）がロータリ操作されていないとき、節度ピース６３が節度谷６７に入り込む状態をとってノブ部４１はロータリ操作開始前の初期位置で位置決め状態をとり、ノブ部４１の意匠面５５の文字（ENGINE START STOP）が左右方向に真っ直ぐ向いた状態をとる。そして、スイッチノブ２３（ノブ部４１）がロータリ操作されると、節度ピース６３が節度付勢部材６５の付勢力に抗して節度山６６の斜面を登る動きをとることにより、ノブ部４１のロータリ操作が許容される。そして、このロータリ操作の後、ノブ部４１から手を離すと、節度ピース６３が節度付勢部材６５の付勢力により節度山６６の斜面を下る動きをとり、これによりスイッチノブ２３がノブ操作時と逆方向に回動して、スイッチノブ２３がロータリ操作開始前の元の初期位置に復帰する。
【００４９】
基板４５には、スイッチノブ２３のプッシュ操作有無を検出する第１磁気センサ６９が実装されている。一方、ノブ回動軸５８の先端には、第１磁気センサ６９に対してノブ軸方向にオフセットする位置（ずれた位置）に例えば永久磁石からなるマグネット７０が取り付けられている。第１磁気センサ６９は、マグネット７０が発生する磁界を検出することにより、スイッチノブ２３のプッシュ操作有無を検出するものであって、検出磁界に応じたセンサ信号を、コネクタ３８を介して電源ＥＣＵ２６に出力する。第１磁気センサ６９は、スイッチノブ２３がプッシュ操作された状態（図４の状態）のとき、マグネット７０の磁界を検出してＨレベルの信号を出力し、スイッチノブ２３がプッシュ操作されていないとき、マグネット７０の磁界を検出せずにＬレベルの信号を出力する。
【００５０】
また、基板４５においてノブ部４１寄りの位置には、ノブ部４１のロータリ操作有無を検出する第２磁気センサ７１が実装されている。第２磁気センサ７１は、スイッチノブ２３がノーマルポジションにあるとき、ノブ軸方向においてマグネット７０とオフセットする位置をとり、スイッチノブ２３がポップアップポジションをとると、マグネット７０とノブ径方向において向き合う位置状態をとる。即ち、第２磁気センサ７１は、スイッチノブ２３がノーマルポジションをとるとき、マグネット７０の磁界を検出しない状態をとり、スイッチノブ２３がポップアップポジションをとると、マグネット７０が対向位置に位置し、マグネット７０の磁界を検出可能となる。なお、マグネット７０及び第２磁気センサ７１がスイッチ機能振分手段を構成する。
【００５１】
第２磁気センサ７１は、スイッチノブ２３がポップアップポジションをとった際に、マグネット７０の磁界を検出可能となり、その検出磁界に応じたセンサ出力を、コネクタ３８を介して電源ＥＣＵ２６に出力する。例えば、ロータリ操作されていないときにノブ部４１がとるロータリ操作前の初期位置（図７の状態）からスイッチノブ２３がロータリ操作されると、ノブ部４１が最大回動位置（図５及び図８の状態）をとるその操作過程において、マグネット７０から第２磁気センサ７１に付与される磁界方向が変化する。このとき、第２磁気センサ７１は、このマグネット７０の磁界方向変化を検出すると、ノブ部４１がロータリ操作されたことを通知すべく、例えばＨレベルの信号を電源ＥＣＵ２６に出力する。
【００５２】
次に、本例のワンプッシュエンジンスタートシステムの動作について図１０の動作表を基に説明する。
ここで、まずは電子キー２を所持したユーザが車両ドアを開けて車内に乗車する場合を想定する。照合ＥＣＵ５は、カーテシスイッチ３０でドア開を検出すると、車内ＬＦ発信機７からリクエスト信号Ｓrqを発信して、車内照合を実行する。そして、照合ＥＣＵ５は、車内照合が成立したことを確認すると、例えば自身のメモリ１７に車内照合成立フラグを立てるなどして、車内照合が成立したことを認識する。照合ＥＣＵ５は、車内照合が成立したことを確認すると、例えば車内ＬＡＮ１０を介して電源ＥＣＵ２６に起動開始要求を送って、それまで待機状態をとっていた電源ＥＣＵ２６を起動させる。
【００５３】
なお、電源ＥＣＵ２６は、例えば車載バッテリが切れて電気が全く供給されていない停止状態と、車載バッテリと電気的に接続された状態をとって少なくとも車内照合の成立のみは確認可能な待機状態と、各リレー２７〜２９やソレノイド４６やノブ光源５１を駆動可動な起動状態との３状態をとる。電源ＥＣＵ２６は、待機状態をとるときに電源ＥＣＵ２６から起動開始要求を受け付けて起動状態を新たにとると、まずは車両１の電源状態を電源オフ状態に設定する。即ち、電源ＥＣＵ２６は、自身が起動状態をとるものの、３つのリレー２７〜２９については全てオフのままで維持する。
【００５４】
また、電源ＥＣＵ２６は、このようにして車両１の電源状態を電源オフ状態に設定した際、このときの電源状態が何であるのかをスイッチノブ２３のポジションでユーザに通知すべく、ノブポジションをノーマルポジションに設定する。なお、電源ＥＣＵ２６は、自身が待機状態をとっているとき、スイッチノブ２３をノーマルポジションに位置させているので、電源状態を電源オフ状態に設定したとき、スイッチノブ２３をこれまでの位置状態、つまりノーマルポジションの位置で保持する。このとき、電源ＥＣＵ２６は、ソレノイド４６をプッシュ状態にして可動レバー４７のストッパ４８を奥に押し出し、ノブ収納部３９の奥に入り込んだホルダ部４０がノブ付勢部材４３の付勢力で手前側に飛び出すことをこのストッパ４８で規制する。これにより、スイッチノブ２３がノーマルポジションに位置し、電源状態がオフ状態であることがスイッチノブ２３の位置によりユーザに通知される。
【００５５】
また、電源ＥＣＵ２６は、その時々の電源状態が何であるのかを、スイッチノブ２３のノブポジションだけでなく、ノブ照明部５０の照明によってもユーザに通知する。電源ＥＣＵ２６は、車両１の電源状態を電源オフ状態に設定した際、このときの電源状態が電源オフ状態であることをノブ照明部５０でもユーザに通知すべく、ノブ照明部５０を消灯させる。なお、電源ＥＣＵ２６は、自身が待機状態をとっているとき、ノブ照明部５０を消灯させているので、車両１の電源状態を電源オフ状態に設定した際、ノブ照明部５０をそのままの消灯状態で維持する。
【００５６】
続いて、車両１の電源状態がオフ状態にある際、車両１の電源状態を次段の状態、つまりＡＣＣオン状態に遷移させる場合、まずユーザ（運転者）はブレーキペダルを踏み込み操作せずに、スイッチノブ２３のみ１回プッシュ操作する。これは、本例のエンジンスイッチ２２では、電源遷移操作をポップアップポジションのエンジンスイッチ２２をロータリ操作することにより行うので、ここではまず最初にエンジンスイッチ２２を一度プッシュ操作して、ノーマルポジションにあるエンジンスイッチ２２をポップアップポジションに切り換える。
【００５７】
電源ＥＣＵ２６は、電源状態が電源オフ状態のときに第１磁気センサ６９のセンサ出力からスイッチノブ２３のプッシュ操作を検出すると、ブレーキペダルが踏み込み操作されていないことを条件に、スイッチノブ２３をポップアップポジションに切り換える動作を開始する。このとき、電源ＥＣＵ２６は、第１磁気センサ６９によるプッシュ操作の検出タイミングで照合ＥＣＵ５に照合結果を確認しにいき、照合ＥＣＵ５から車内照合成立済みの確認結果を受け付けると、スイッチノブ２３をそれまでのノーマルポジションからポップアップポジションへノブ位置を切り換える。この場合、電源ＥＣＵ２６は、ソレノイド４６をプル状態にして可動レバー４７のストッパ４８を手前に引き込み、このストッパ４８によるホルダ部４０の位置規制を解除する。これにより、スイッチノブ２３がノブ付勢部材４３の付勢力によって手前側に飛び出し、スイッチノブ２３のノブ軸方向中間位置に形成された段部４０ａがノブガイド４４に当接してそれ以上の飛び出しが規制されて、スイッチノブ２３がポップアップポジションに位置する。よって、ユーザはスイッチノブ２３のノブ部４１を摘み、このノブ部４１をロータリ操作することが可能となる。なお、電源ＥＣＵ２６が照合ＥＣＵ５に照合結果を確認しにいったとき、照合ＥＣＵ５が照合成立済みの照合結果を得ていない場合、照合ＥＣＵ５は車内照合を今一度実行して車内照合成立可否を確認する。
【００５８】
スイッチノブ２３をポップアップポジションに切り換えた後、ユーザはこのポップアップポジションのノブ部４１を摘んでこれを一方向（図８では紙面反時計回り方向）にロータリ操作する。このとき、電源ＥＣＵ２６は、電源状態が電源オフ状態のときに第２磁気センサ７１のセンサ出力からスイッチノブ２３のロータリ操作を検出すると、車両１の電源状態をＡＣＣオン状態に遷移させる。このとき、電源ＥＣＵ２６は、ロータリ操作の検出タイミングで３つのリレー２７〜２９のうちＡＣＣリレー２７をオン状態に切り換えて、車両１の電源状態をＡＣＣオン状態に切り換える。これにより、車載アクセサリに電源が供給され、例えばカーオーディオ等の車載アクセサリが使用可能となる。
【００５９】
電源ＥＣＵ２６は、車両１の電源状態をＡＣＣオン状態に設定した際、このときの電源状態がＡＣＣオン状態にあることをノブ照明部５０でユーザに通知すべく、電源状態切り換えのタイミング（ロータリ操作の検出タイミング）でノブ光源５１をそれまでの消灯状態から点灯状態に切り換える。このとき、スイッチノブ２３はポップアップポジションをとるので、ノブ照明部５０がノブ収納部３９から飛び出して露出する状態をとる。よって、ノブ光源５１からライトガイド５２を伝ってノブ照明部５０まで至った光は、ノブ周囲から一段高く持ち上がったスイッチノブ２３のノブ全周からノブ外部に露光する状態をとる。これにより、車両１の電源状態がＡＣＣオン状態にあることがノブ照明部５０の照明によってユーザに通知される。
【００６０】
続いて、車両１の電源状態をＡＣＣオン状態から電源遷移時の次段の電源状態であるＩＧオン状態に切り換える場合、ポップアップポジションをとるスイッチノブ２３を更にもう１回ロータリ操作する。電源ＥＣＵ２６は、電源状態がＡＣＣオン状態のときに第２磁気センサ７１のセンサ出力からスイッチノブ２３のロータリ操作を検出すると、車両１の電源状態を次段の電源状態であるＩＧオン状態に遷移させる。このとき、電源ＥＣＵ２６は、ロータリ操作の検出タイミングで３つのリレー２７〜２９のうちＡＣＣリレー２７及び第１ＩＧリレー２８をオン状態に切り換えて、車両１の電源状態をＩＧオン状態に切り換える。これにより、車両ボディ系や走行系の各種電装品に電源が供給され、例えばパワーウインドウ等の電装品が使用可能となる。
【００６１】
また、電源ＥＣＵ２６は、車両１の電源状態をＩＧオン状態に設定した際、このときの電源状態がＩＧオン状態（即ち、電源オン状態）であることをスイッチノブ２３のポジションでユーザに通知すべく、ノブポジションをポップアップポジションとする。なお、ＩＧオン状態の１つ前の電源状態がＡＣＣオン状態の場合、スイッチノブ２３はポップアップポジションをとっているので、電源ＥＣＵ２６はスイッチノブ２３のノブポジションをポップアップポジションのままで維持する。また、電源ＥＣＵ２６は、車両１の電源状態をＩＧオン状態に設定した際、このときの電源状態がＩＧオン状態であることをノブ照明部５０でも通知すべく、ノブ照明部５０を点灯状態とする。なお、ＩＧオン状態の１つ前の電源状態がＩＧオン状態の場合、ノブ照明部５０は既に点灯状態をとっているので、電源ＥＣＵ２６はノブ照明部５０を点灯状態のままで維持する。
【００６２】
さらに、電源状態がＩＧオン状態にあるときに、ポップアップポジションをとるスイッチノブ２３のノブ部４１が更にもう１回ロータリ操作されると、スイッチノブ２３がポップアップポジションをとったままで、電源状態がＩＧオン状態から元のＡＣＣオン状態に戻る。そして、ポップアップポジションをとるスイッチノブ２３のノブ部４１がロータリ操作される度に、電源状態がＡＣＣオン状態→ＩＧオン状態→再度ＡＣＣオン状態の順に繰り返し切り換わる。なお、この電源遷移操作の際には、スイッチノブ２３はポップアップポジションをとる状態を維持しつつ、ノブ照明部５０も点灯状態を維持する。
【００６３】
一方、電源状態がＡＣＣオン状態又はＩＧオン状態の際に電源状態を元の電源オフ状態に戻す場合、ユーザはブレーキペダルを踏み込み操作せずに、スイッチノブ２３を１回プッシュ操作する。電源ＥＣＵ２６は、電源状態がＡＣＣオン状態又はＩＧオン状態、即ちスイッチノブ２３がポップアップポジションをとっていて電源状態をＡＣＣオン状態及びＩＧオン状態のどちらかに電源遷移操作可能なときに、第１磁気センサ６９のセンサ出力からスイッチノブ２３のプッシュ操作を検出すると、ブレーキペダルが踏み込み操作されていないことを条件に、車両１の電源状態を元の電源オフ状態に戻す。このとき、電源ＥＣＵ２６は、プッシュ操作の検出タイミングで３つのリレー２７〜２９を全てオフ状態に切り換えて、車載アクセサリや電装品に電源が供給されないようにする。
【００６４】
また、電源ＥＣＵ２６は、車両１の電源状態を電源オフ状態に設定した際、このときの電源状態が電源オフ状態に戻ったことをスイッチノブ２３のポジションでユーザに通知すべく、ポップアップポジションをとっているスイッチノブ２３をノーマルポジションに切り換える。このとき、電源ＥＣＵ２６は、電源状態切り換えのタイミング（プッシュ操作の検出タイミング）でソレノイド４６をプッシュ状態にして可動レバー４７のストッパ４８を奥に押し込み、このストッパ４８でホルダ部４０をノブ付勢部材４３の付勢力に抗して奥に押し込むことにより、スイッチノブ２３の飛び出しをストッパ４８で位置規制する。これにより、スイッチノブ２３がそれまでのポップアップポジションからノーマルポジションに切り換わり、車両１の電源状態が電源オフ状態に戻されたことがスイッチノブ２３のノブポジションによりユーザに通知される。
【００６５】
電源ＥＣＵ２６は、車両１の電源状態を電源オフ状態に戻した際、このときの電源状態が電源オフ状態に戻ったことをノブ照明部５０でもユーザに通知すべく、電源状態切り換えのタイミング（プッシュ操作の検出タイミング）でノブ光源５１をそれまでの点灯状態から消灯状態に切り換える。よって、車両１の電源状態が電源オフ状態にあることがノブ照明部５０の照明によってもユーザに通知される。なお、車両１の電源状態が電源オフ状態をとった際には、スイッチノブ２３がノーマルポジションをとってノブ照明部５０がノブ収納部３９に隠れる状態をとるので、ノブ照明部５０自体が見えなくなる状態もとる。
【００６６】
また、例えば車両１の電源状態が電源オフ状態、ＡＣＣオン状態、ＩＧオン状態の何れかのときに、停止状態のエンジン２１を始動状態に切り換えるべく、ブレーキペダルを踏み込んだ状態でスイッチノブ２３が１回プッシュ操作されたとする。即ち、ワンプッシュエンジンスタートシステムでは、車両１の電源状態が電源オフ状態、ＡＣＣオン状態、ＩＧオン状態の何れにあっても、ブレーキペダルが踏み込み操作された状態でスイッチノブ２３がプッシュ操作されれば、電源状態がエンジンスタート状態に切り換わるので、ここではこのエンジン始動操作が行われたとする。
【００６７】
電源ＥＣＵ２６は、第１磁気センサ６９のセンサ出力からスイッチノブ２３のプッシュ操作を検出すると、ブレーキペダルが踏み込み操作されていることを条件に、車両１の電源状態をエンジンスタート状態に遷移させる。このとき、電源ＥＣＵ２６は、プッシュ操作の検出タイミングで照合ＥＣＵ５に照合結果を確認しにいき、照合ＥＣＵ５から車内照合成立済みの確認結果を受け付けると、３つのリレー２７〜２９を全てオンして、エンジンＥＣＵ２４に電源を供給しつつスタータモータを回転させる。よって、エンジン２１がそれまでの停止状態から稼働状態に切り換わる状態をとる。
【００６８】
電源ＥＣＵ２６は、車両１の電源状態をエンジンスタート状態に設定した際、このときの電源状態がＡＣＣオン状態やＩＧオン状態ではなくエンジンスタート状態であることをスイッチノブ２３のノブポジションでユーザに通知すべく、スイッチノブ２３のノブポジションをそれまでのノーマルポジションで維持する。また、電源ＥＣＵ２６は、車両１の電源状態をエンジンスタート状態に設定した際、このときの電源状態がエンジンスタート状態に正しく切り換わったことをノブ照明部５０でも通知すべく、ノブ光源５１の消灯を継続してノブ照明部５０を消灯状態のままで維持する。
【００６９】
また、車両１がエンジン稼働状態のとき、稼働状態のエンジン２１を停止させるべく、シフトレバーのレンジ位置を駐車レンジとした状態でスイッチノブ２３が１回プッシュ操作されたとする。電源ＥＣＵ２６は、第１磁気センサ６９のセンサ出力からスイッチノブ２３のプッシュ操作を検出すると、シフトレバーが駐車レンジにあることを条件に、車両１の電源状態をエンジンスタート状態から元の電源オフ状態に切り換える。このとき、電源ＥＣＵ２６は、プッシュ操作の検出タイミングで３つのリレー２７〜２９を全てオフ状態に切り換えて、車載アクセサリや電装品に電源が供給されないようにする。
【００７０】
電源ＥＣＵ２６は、このように車両１の電源状態を電源オフ状態に戻した際、このときの電源状態がＡＣＣオン状態やＩＧオン状態ではなく電源オフ状態に戻ったことをユーザに通知すべく、スイッチノブ２３のノブポジションをそれまでのノーマルポジションで維持する。また、電源ＥＣＵ２６は、車両１の電源状態を電源オフ状態に戻した際、このときの電源状態が電源オフ状態に正常に切り換わっていることをノブ照明部５０でもユーザに通知すべく、ノブ光源５１の消灯を継続してノブ照明部５０を消灯状態で維持する。
【００７１】
また、スイッチノブ２３を所定量だけ周囲から飛び出させるスイッチノブポップアップ機能は、車内照合が不成立のときにもスイッチノブ２３がこのポップアップ状態をとることを以て、代替照合実行要求機能としても使用されている。これは、例えば電子キー２が電池切れになって車内照合（スマート照合）が成立しない場合には、このスマート通信に準じた車内照合に代えてイモビライザー照合でキー照合を実行する必要があり、しかもイモビライザー照合の車両側アンテナであるイモビアンテナ３３がエンジンスイッチ２２に組み込まれていることから、イモビライザー照合での照合が必要なときにスイッチノブ２３をポップアップさせれば、ユーザに電子キー２のかざし行為を誘発させつつ、しかも電子キー２をそのかざし位置に案内できるためである。
【００７２】
ここで、代替照合実行要求機能について説明するが、ここでは例えば電子キー２による車外照合で車両ドアの解錠は実行できたものの、車両ドアを開けて乗車する過程で電子キー２が電池切れになって車内照合が成立しない場合を想定する。照合ＥＣＵ５は、カーテシスイッチ３０でドア開を検出すると、車内ＬＦ発信機７からリクエスト信号Ｓrqを発信する動作を開始して、車内照合が成立するか否かを確認する。ここで、この場合は電子キー２が電池切れになっている状況を想定しているので、照合ＥＣＵ５は車内ＬＦ発信機７からリクエスト信号Ｓrqを発信しても、本来ならばこのリクエスト信号Ｓrqに応答して返してくるはずのＩＤ信号Ｓidが電子キー２から発信されず、ＩＤ信号ＳidをＲＦ受信機８で受信することができない。
【００７３】
照合ＥＣＵ５は、車内ＬＦ発信機７からリクエスト信号Ｓrqを発信する動作を開始してから一定時間の間に、ＩＤ信号ＳidをＲＦ受信機８で受信することができなければ、車内照合が不成立であると認識する。照合ＥＣＵ５は、車内照合が不成立であることを確認すると、車内ＬＡＮ１０を介して車内照合不成立通知を電源ＥＣＵ２６に出力する。電源ＥＣＵ２６は、この車内照合不成立通知を受け付けると、待機状態から起動状態に切り換わり、電子キー２のかざし位置をユーザに通知する動作を実行する。
【００７４】
このとき、電源ＥＣＵ２６は、ソレノイド４６をそれまでのプッシュ状態からプル状態に切り換えて、スイッチノブ２３をそれまでのノーマルポジションからポップアップポジションに切り換える。また、電源ＥＣＵ２６は、照合ＥＣＵ５から車内照合不成立通知を受け付けた際、それまで消灯状態をとっていたノブ照明部５０を点滅状態に切り換える。よって、スイッチノブ２３がポップアップポジションをとることと、ノブ照明部５０が点滅状態をとることとを以て、車内照合の代替照合をイモビライザー照合で行わなくてはいけないことと、このときの電子キー２のかざし位置とがユーザに通知される。よって、ユーザは電子キー２が電池切れになって車内照合が成立せずイモビライザー照合でキー照合を実行しなければいけないことを直ぐに気付き、しかも電子キー２のかざす位置が直ぐに分かることになる。なお、このときの車両１の電源状態は、３つのリレー２７〜２９が全てオフをとる電源オフ状態のままで維持される。
【００７５】
電源ＥＣＵ２６は、この電子キーかざし位置通知（スイッチノブポップアップ及び照明点滅）に制限時間を持ち、この通知を開始してからの経過時間を自身のタイマ７２により計時する。そして、電源ＥＣＵ２６は、タイマ７２の経過時間が一定時間を超えてタイムアップするとこの通知動作を終了する。このとき、電源ＥＣＵ２６は、ソレノイド４６をこれまでのプル状態から元のプッシュ状態に切り換えて、可動レバー４７のストッパ４８でホルダ部４０の規制部４９をノブ付勢部材４３の付勢力に抗して奥に押し込んで、スイッチノブ２３を元のノーマルポジションに復帰させる。また、電源ＥＣＵ２６は、スイッチノブ２３のノーマルポジションへの復帰とともに、ノブ照明部５０をそれまでの点滅状態から消灯状態に切り換える。
【００７６】
また、電源オン状態通知機能には、電源状態がＡＣＣオン状態やＩＧオン状態の電源オン状態をとった際、車載バッテリ上がり対策として電源オン状態のままの放置を防止すべく、電源オン状態が一定時間を経過した場合に、電源状態を元の電源オフ状態に強制的に戻す電源強制オフ機能が設けられている。この場合、電源ＥＣＵ２６は、電源状態がＡＣＣオン状態又はＩＧオン状態をとってからの経過時間を、自身のタイマ７２により計時する。そして、電源ＥＣＵ２６は、タイマ７２の経過時間が一定時間を超えてタイムアップしたことを認識すると、車両１の電源状態を元の電源オフ状態に強制的に戻しつつノブ照明部５０を消灯して、車載バッテリの省エネルギー化を図る。
【００７７】
電源ＥＣＵ２６は、電源強制オフ機能により電源状態を電源オフ状態に強制切り換えした際、電源状態は電源オフに切り換えてノブ照明部５０は消灯に戻すものの、スイッチノブ２３のノブポジションはＡＣＣオン状態やＩＧオン状態のときにとっていたポップアップポジションを継続してとる。これは、この後にユーザが取り得る動作として、運転者が車両ドアを開けて降車した際に行われる車内照合が不成立になることと、エンジンスイッチ２２が再操作されることとが想定されるので、これらの場合は両方ともスイッチノブ２３がポップアップポジションをとる動作であるから、そのままの状態を維持するようにしている。
【００７８】
さて、本例においては、スイッチノブ２３を通常位置であるノーマルポジションからポップアップポジションに飛び出し可能とするとともに、しかもポップアップポジションをとるときのスイッチノブ２３（ノブ部４１）をロータリ操作可能として、スイッチノブ２３のプッシュ操作にエンジン始動停止操作が割り当て、スイッチノブ２３のロータリ操作に電源遷移操作が割り当てる。よって、エンジンスイッチ２２のスイッチ機能は、エンジン始動操作がプッシュ操作に、電源遷移操作がロータリ操作に区別されるので、各々の操作の操作形式が明確になる。このため、エンジンスイッチ２２でエンジン始動停止操作又は電源遷移操作を行う際に、操作間違いを発生し難くすることが可能となる。
【００７９】
本実施形態の構成によれば、以下に記載の効果を得ることができる。
（１）スイッチノブ２３を通常位置であるノーマルポジションからポップアップポジションに切り換え可能とするとともに、このときのスイッチノブ２３（ノブ部４１）をロータリ操作可能として、スイッチノブ２３のプッシュ操作にエンジン始動停止操作が割り当て、スイッチノブ２３のロータリ操作に電源遷移操作が割り当てる。このため、エンジン始動停止操作と電源遷移操作とで行うスイッチ操作の操作形式が分けられるので、これら操作を行うに際して操作間違いを発生し難くすることができる。
【００８０】
（２）スイッチノブ２３には、プッシュ操作にエンジン始動操作が割り当てられ、ロータリ操作に電源遷移操作が割り当てられている。このため、スイッチノブ２３でエンジン始動操作を行う際には、例えば電源遷移操作のときのようなスイッチノブ２３を一旦ポップアップポジションに位置させる操作が不要となるので、エンジン始動操作を簡素な操作とすることができる。
【００８１】
（３）スイッチノブ２３で電源遷移操作を行う際には、ブレーキペダルを踏み込み操作しない状態で、ノーマルポジションに位置するスイッチノブ２３のみをプッシュ操作して、スイッチノブ２３を一旦ポップアップポジションに切り換えてから、スイッチノブ２３（ノブ部４１）をロータリ操作する操作過程を経る。このため、スイッチノブ２３をロータリ操作して電源遷移操作する際には、スイッチノブ２３を一旦ポップアップポジションにするというユーザの操作意志が入るので、スイッチノブ２３による電源遷移操作に関して誤操作を生じ難くすることができる。
【００８２】
（４）スイッチノブ２３がポップアップポジションをとった際、車両１の電源状態が電源オン状態（ＡＣＣオン状態、ＩＧオン状態）をとるときには、この旨がスイッチノブ２３のノブポジションのみならず、ノブ照明部５０の照明によっても通知される。このため、スイッチノブ２３がポップアップポジションをとっていることを、より確実にユーザに通知することができる。
【００８３】
（５）スイッチノブ２３で電源状態を切り換える際、この切り換え操作には車内照合（スマート照合）の成立が条件となっているので、車内照合が成立していなければ、スイッチノブ２３をプッシュ操作しても電源状態が切り換わらない。このため、電源状態の切り換え操作が第三者により不正に実行されてしまう状況を生じ難くすることが可能となり、車両１の不正使用ひいては車両盗難に対してセキュリティ性の高いものとすることができる。
【００８４】
（６）スイッチノブポップアップ機能は、車内照合が不成立のときにもスイッチノブ２３がこのポップアップ状態をとってその旨を通知する代替照合実行要求機能としても使用される。このため、例えば電子キー２が電池切れになって車内照合が成立しない場合、スイッチノブ２３をポップアップポジションにするというユーザが気付き易い形式で、車内照合が不成立の旨を通知することができる。また、このときのスマート照合不成立時の代替照合として使用されるイモビライザー照合の車両側アンテナ（イモビアンテナ３３）はエンジンスイッチ２２に組み込まれているので、スイッチノブ２３がポップアップポジションをとれば、電子キー２のかざし場所をユーザに案内できることにもなる。
【００８５】
（７）スイッチノブポップアップ機能には、電源状態がＡＣＣオン状態やＩＧオン状態の電源オン状態をとった際、電源オン状態が一定時間を経過した場合に、電源状態を元の電源オフ状態に強制的に戻す電源強制オフ機能が設けられている。よって、電源状態を電源オフ状態に切り忘れて降車した場合であっても、電源状態を強制的にオフ状態に切り換えることができる。
【００８６】
なお、実施形態はこれまでに述べた構成に限らず、以下の態様に変更してもよい。
・  スイッチノブ２３の各操作方向に割り振るスイッチ機能は、必ずしもエンジン始動停止スイッチ機能と、電源遷移スイッチ機能とに限定されない。例えば、スイッチノブ２３のプッシュ操作方向にエンジン始動操作を割り当て、スイッチノブ２３のロータリ操作方向にエンジン停止操作を割り当ててもよい。即ち、スイッチノブ２３の各操作方向に割り当てるスイッチ機能は、エンジンスイッチ２２が元来持っているスイッチ機能（ＡＣＣオン状態切り換え、ＩＧオン状態切り換え、エンジンスタートオン状態切り換え、電源オフ切り換え）の中のどれを割り振ってもよい。
【００８７】
・  スイッチノブ２３のスイッチ機能は、プッシュ操作がエンジン始動停止操作で、ロータリ操作が電源遷移操作であることに限定されず、この組み合わせを逆にしてもよい。
・  スイッチノブ２３が持つ２操作は、必ずしもプッシュ操作及びロータリ操作であることに限らず、例えばスイッチノブ２３を横方向に動かすスライド操作や、スイッチノブ２３を傾き操作する傾倒操作でもよい。
【００８８】
・  スイッチノブ２３が持つ２操作の組み合わせは、必ずしもプッシュ操作及びロータリ操作の組み合わせに限らず、プッシュ操作、ロータリ操作、スライド操作、傾倒操作の各操作を適宜組み合わせることが可能である。
【００８９】
・スイッチノブ２３は、必ずしも一方向にのみロータリ操作可能であることに限定されず、ノブ軸回りに両方向にロータリ操作可能としてもよい。この場合、左右の各々のロータリ走行に割り当てるスイッチ機能を異ならせてもよく、例えば一方のロータリ操作方向に、ＡＣＣオン状態への切り換えのスイッチ機能を割り当て、一方のロータリ操作方向にＩＧオン状態への切り換えのスイッチ機能を割り当てることも可能である。
【００９０】
・  スイッチノブ２３をポップアップポジションとする際、ノブ照明部５０を点灯状態とするが、このときの点灯は必ずしも同色であることに限定されない。例えば、基板４５に発光色の異なる複数のＬＥＤを取り付け、ＡＣＣオン状態及びＩＧオン状態とで、発光させるＬＥＤを切り換えることで、照明色を異ならせてもよい。この場合、電源状態（電源オン状態の種類）をより容易に認識することができる。
【００９１】
・  ノブ照明部５０は、ノブ光源が必ずしもＬＥＤであることに限らず、例えばランプを使用してもよい。また、ノブ光源５１の光がノブ外部に直接放射可能であれば、ライトガイド５２は省略してもよい。
【００９２】
・  ノブ照明部５０の点灯状態は、電源状態が電源オフ状態及びエンジンスタート状態のときに消灯状態をとり、電源状態がＡＣＣオン状態及びＩＧオン状態をとるときに点灯状態をとる点灯形式に限定されない。例えば、電源状態が電源オフ状態のときにのみノブ照明部５０が消灯したり、或いは電源状態が電源オフ状態のときにのみノブ照明部５０が点灯したりするなど、種々の点灯方式が採用可能である。
【００９３】
・  ノブ照明部５０は、必ずしも継続して光る点灯状態をとることに限定されず、例えば点滅状態をとってもよい。
・  ノブ照明部５０の形状は、必ずしもノブ周囲前面が光る形状に限らず、少なくともノブ周囲の一部から光が出るものであればよい。また、ノブ照明部５０は、必ずしもノブ周囲が光るものに限らず、ノブ表面（前面）の全体又は一部が光るものでもよい。
【００９４】
・  ノブ位置切換機構３５の駆動源（アクチュエータ）は、必ずしもソレノイドに限定されず、例えばモータを使用してもよい。即ち、ノブ位置切換機構３５は、実施形態に記載の構造のものに限定されず、プッシュ操作後のスイッチノブ２３を元の操作開始位置に戻すことができるものであれば、機構種類は特に限定されない。
【００９５】
・  ソレノイド４６は、必ずしもノブ付勢部材４３の付勢力に抗してスイッチノブ２３を奥に押し込める、つまりスイッチノブ２３をノーマルポジションに復帰させ得る駆動力を持つものでなくてもよい。この場合、車内照合不成立をポップアップポジションのスイッチノブ２３で通知した際、この通知完了後、ノブポジションを元のノーマルポジションに戻すことができないが、スイッチノブ２３がポップアップポジションのままの状態をとっていれば、この位置状態により、車内照合が前回成立しなかったことを通知することができる。
【００９６】
・  ロータリ側モーメンタリ機構６２は、ピースが節度の谷に入り込もうとする力を利用した節度機構であることに限定されず、ロータリ操作後のスイッチノブ２３を元の操作開始位置に戻すことができるものであれば、機構種類は特に限定されない。
【００９７】
・  スイッチノブ２３のプッシュ操作有無を見る検出系は、必ずしも磁気センサに限定されず、例えば光センサを使用してもよい。また、この種の検出系は、磁気センサや光センサ等の無接点式に限らず、マイクロスイッチ等の有接点式を採用してもよい。
【００９８】
・  電源遷移機能で電源オフ状態の次段以降の電源状態は、必ずしもＡＣＣオン状態及びＩＧオン状態の２状態を持つことに限らず、これらを１状態に集約してもよい。
・  スイッチノブ２３の電源状態切り換え操作の実行条件は、電子キーシステム３のキー照合成立を条件としているが、このキー照合は必ずしも車内照合に限らず、例えば車外照合を適用してもよい。また、スイッチノブ２３の電源状態切り換え操作の実行条件は、必ずしもこの種の電子キーシステム３のキー照合成立を条件とすることに限らず、例えば生体認証等の他の照合（認証）を採用してもよい。
【００９９】
・  車両１の電源状態が電源オン状態であることをスイッチノブ２３のノブポジション以外で視覚的に報知する場合、これは必ずしもスイッチノブ２３に設けたノブ照明部５０で実行することに限定されない。例えば、この種の視覚的報知を運転席のインストルメントパネルで表示してもよい。
【０１００】
・  車両１の電源状態が電源オン状態であることをスイッチノブ２３のポジション以外で通知する場合、こればノブ照明部５０による視覚的報知に限定されない。この報知は、例えば音声などの聴覚的報知を採用してもよい。
【０１０１】
・  スイッチノブ２３による電源状態の切り換え操作は、必ずしもプッシュ操作に限定されず、例えばロータリ操作としてもよい。この場合、スイッチノブ２３をロータリ操作して電源状態が電源オン状態をとったとき、スイッチノブ２３がポップアップポジションに切り換わる動きをとる。
【０１０２】
・  電源オン状態通知機能は、必ずしもエンジン始動操作系のスイッチに設けることに限らず、車内の各種スイッチに適用可能である。また、電源オン状態通知機能の搭載先は、必ずしも車両に限定されず、操作スイッチを持つ各種機器や装置としてもよいことは言うまでもない。
【０１０３】
次に、上記実施形態及び別例から把握できる技術的思想について、それらの効果とともに以下に追記する。
（１）請求項１〜８のいずれかにおいて、前記操作スイッチは、前記物品としての車両に設置された車載電気部品の電源状態を切り換えるときに操作する車両電源状態切り換え用スイッチである。この構成によれば、操作スイッチを車両電源状態切り換え用スイッチとしたので、車両に搭載された各種操作スイッチに本例の技術を適用することが可能となる。
【０１０４】
（２）請求項２〜８のいずれかにおいて、前記エンジン始動停止用スイッチは、車両に搭載された各種車載電装品に電源が供給されていない前記電源オフ状態と、前記エンジンが始動状態とはなっていないものの前記各種車載電装品の一部品に電源を供給するときの電源状態である第１電源オン状態と、前記エンジンを始動状態とするときの電源状態である第２電源状態との間で、前記電源状態を択一的に切り換え可能である。この構成によれば、エンジン始動停止用スイッチを操作することにより、車両の電源状態を電源オフ状態、第１電源オン状態及び第２電源オン状態の間で自由に選択切り換えすることが可能となる。
【０１０５】
（３）請求項２〜８、前記技術的思想（１），（２）のいずれかにおいて、前記エンジン始動停止用スイッチは、前記スイッチノブのスイッチ操作の度に電源状態が次段に順次切り換わる電源遷移機能が割り当てられ、前記ノブ軸方向位置切換機構は、前記電源遷移の操作過程で前記電源状態が前記電源オン状態をとるときに、前記スイッチノブの位置をそれまでの初期ポジションから前記変位ポジションに切り換える。この構成によれば、電源遷移の操作過程で電源状態が電源オン状態をとる場合、その旨がスイッチノブの位置により通知される。このため、電源遷移機能に則って電源状態を切り換える際に、どの状態のときに電源状態が電源オン状態をとっているのかを直ぐに気付くことが可能となる。
【０１０６】
（４）請求項１〜８、前記技術的思想（１）〜（３）のいずれかにおいて、前記ノブ軸方向位置切換機構は、前記スイッチノブのモーメンタリ機能を満たす付勢部材の付勢力によって元の操作開始のポジションに戻ろうとする当該スイッチノブの位置規制の場所を切り換えることにより、前記スイッチノブのノブ軸方向位置を切り換える。
【図面の簡単な説明】
【０１０７】
【図１】一実施形態における電子キーシステムの概略構成を示すブロック図。
【図２】ノブがノーマルポジションをとるときのエンジンスイッチの断面図。
【図３】ノブがポップアップポジションをとるときのエンジンスイッチの断面図。
【図４】ノブがプッシュ操作されたときのエンジンスイッチの断面図。
【図５】ノブがロータリ操作されたときのエンジンスイッチの断面図。
【図６】ノブがノーマルポジションをとるときのエンジンスイッチ周辺の斜視図。
【図７】ノブがポップアップポジションをとるときのエンジンスイッチ周辺の斜視図。
【図８】ノブがロータリ操作されたときのエンジンスイッチ周辺の斜視図。
【図９】図５のII−II線断面図。
【図１０】電源状態とスイッチノブポジションとの関係を示す表。
【符号の説明】
【０１０８】
１…物品としての車両、２…電子キー、５…照合手段及び許可手段を構成する照合ＥＣＵ、６，７…照合手段を構成するＬＦ発信機、８…照合手段を構成するＲＦ受信機、２１…エンジン、２２…操作スイッチ（エンジン始動停止用スイッチ）としてのエンジンスイッチ、２３…スイッチノブ、２６…スイッチ機能振分手段を構成する電源ＥＣＵ、３５…ノブ軸方向位置切換機構としてのノブ位置切換機構、５０…連動通知手段としてのノブ照明部、５７…他操作方向動作許容機構としてのノブ回転機構、７０…スイッチ機能振分手段を構成するマグネット、７１…スイッチ機能振分手段を構成する第２磁気センサ、Ｌ…ノブ軸。
【図１】
2010047051.tif 000003
【図２】
2010047051.tif 000004
【図３】
2010047051.tif 000005
【図４】
2010047051.tif 000006
【図５】
2010047051.tif 000007
【図６】
2010047051.tif 000008
【図７】
2010047051.tif 000009
【図８】
2010047051.tif 000010
【図９】
2010047051.tif 000011
【図１０】
2010047051.tif 000012